(57)【要約】【課題】  照明器具単体で完結し、昼夜を問わず不審者に対して心理的圧力を効果的に与え続けることで高い威嚇効果が得られる防犯機能付照明装置の提供。【解決手段】  光を出力する照明負荷部６と、照明負荷部６を制御する点灯制御手段５と、人を検知して点灯制御手段５に信号を出力する人センサ部２と、照度検出する明るさセンサ部３と、時間を計時するタイマ部４と、人センサ部２の出力に応じて警報出力を発報する警報出力手段８と、を備えた照明装置において、警報出力手段８は、発報開始から発報終了までの間の発報状態を変化させるものである。【選択図】図１
2005275862.tif 000002
【特許請求の範囲】
【請求項１】
光を出力する照明負荷部と、該照明負荷部を制御する点灯制御手段と、人を検知して前記点灯制御手段に信号を出力する人センサ部と、照度検出する明るさセンサ部と、時間を計時するタイマ部と、前記人センサ部の出力に応じて警報出力を発報する警報出力手段と、を備えた照明装置において、
前記警報出力手段は、発報開始から発報終了までの間の発報状態を変化させるものであることを特徴とする照明装置。
【請求項２】
前記警報出力手段は、警報出力の発報開始から発報終了までの間の発報出力量を変化させることを特徴とする請求項１記載の照明装置。
【請求項３】
前記警報出力手段は、警報出力を発報する場合に発報間隔を変化させること特徴とする請求項１記載の照明装置。
【請求項４】
前記警報出力手段は、警報出力を発報する場合に照明装置の周囲環境に応じて発報出力量を変化させることを特徴とする請求項１記載の照明装置。
【請求項５】
前記警報出力手段は、警報出力を発報する発報手段が光であることを特徴とする請求項１乃至請求項４いずれかに記載の照明装置。
【請求項６】
前記警報出力手段は、警報出力を発報する発報手段が音であることを特徴とする請求項１乃至請求項４いずれかに記載の照明装置。
【請求項７】
前記警報出力手段は、警報出力を発報する発報手段が光と音の組み合わせであることを特徴とする請求項１乃至請求項４いずれかに記載の照明装置。
【発明の詳細な説明】
【技術分野】
【０００１】
本発明は、人センサとタイマの応用により通常の照明器具と防犯威嚇用照明器具の両方の特徴を兼ね備えた照明装置に関するものである。
【背景技術】
【０００２】
従来から、通常の照明装置と防犯威嚇用照明装置の両方の特徴を兼ね備えた照明装置として、例えば、特開２００３−２０８９９０号公報に示すようなものがある。この照明装置１０１は、図７（ａ）に示すように、人を検知する人センサ部１０２と、周囲の照度を検出する明るさセンサ部１０３と、さまざまな時間の計時を行なう予熱タイマＴｙとインターバルタイマＴｉとを有するタイマ部１０４と、器具全体の制御を行なう点灯制御手段１０５と、光を出力する照明負荷部１０６と、を備えている。この場合の点灯制御手段５は、人センサ部２と、明るさセンサ部３と、タイマ部４と、であり、また、警報出力手段は、照明負荷部６である。
【０００３】
次に、この照明装置１０１の動作を、図７（ｂ）に基づいて説明する。この図は、横軸に時間、縦軸に人センサ部２の検知出力としてセンサ検知パルスＰ、予熱タイマＴｙの出力、インターバルタイマＴｉの出力、照明負荷部６の出力として光出力と、を表している。人が照明装置１０１に近づいてきて人センサ部２が人を検知すると人検知信号を発生する。点灯制御手段１０５は、人センサ部１０２が人を検知してから、所定の時間だけ計時動作させるタイマ部１０４を有し、タイマ部１０４の計時動作中に連続的または断続的に人センサ部１０２の検知信号が入力される時、タイマ部１０４の計時動作が終了した時点から、照明負荷部１０６からの光出力の光の質を変化させるものである。例えば、照明負荷部１０６にフラッシュ機能を設けて、点滅動作をさせている。
【０００４】
ところで、最近は日本でも治安が悪化の一途をたどっており、特にピッキングと呼ばれる特殊な工具を使って住宅の玄関のドアの鍵を解錠して宅内に不法侵入する空き巣被害が激増している。このような状況のもと、住宅用照明器具分野でも防犯効果を持つ照明器具が多く考案されている。すなわち、住宅分野では照明器具単体で完結し、不審者に対して心理的圧力を効果的に与え続けることで高い威嚇効果が得られる防犯機能付照明装置の開発が望まれている。
【０００５】
しかしながら、この照明装置１は、フラッシュ機能として常時同様の点滅動作を繰り返すだけなので、検知範囲内に滞在し続けている不審者に対し、心理的圧力を効果的に与え続けるという面ではもの足りない感がある。また明るさセンサのはたらきにより、明るい昼間は人を検知しても照明負荷は点滅しないというものである。
【特許文献１】特開２００３−２０８９９０号公報
【発明の開示】
【発明が解決しようとする課題】
【０００６】
本願発明は、上記背景技術に鑑みて発明されたものであり、その課題は、照明器具単体で完結し、昼夜を問わず不審者に対して心理的圧力を効果的に与え続けることで高い威嚇効果が得られる防犯機能付照明装置を提供することである。
【課題を解決するための手段】
【０００７】
上記課題を解決するために、本願発明は、光を出力する照明負荷部と、該照明負荷部を制御する点灯制御手段と、人を検知して前記点灯制御手段に信号を出力する人センサ部と、照度検出する明るさセンサ部と、時間を計時するタイマ部と、前記人センサ部の出力に応じて警報出力を発報する警報出力手段と、を備えた照明装置において、前記警報出力手段は、発報開始から発報終了までの間の発報状態を変化させるものである。
【０００８】
また、前記警報出力手段は、警報出力の発報開始から発報終了までの間の発報出力量を変化させるのが好ましい。
【０００９】
また、前記警報出力手段は、警報出力を発報する場合に発報間隔を変化させることが好ましい。
【００１０】
また、前記警報出力手段は、警報出力を発報する場合に照明装置の周囲環境に応じて発報出力量を変化させることがこのましい。
【００１１】
また、前記警報出力手段は、警報出力を発報する発報手段が光であることが好ましい。
【００１２】
また、前記警報出力手段は、警報出力を発報する発報手段が音であることが好ましい。
【００１３】
また、前記警報出力手段は、警報出力を発報する発報手段が光と音の組み合わせであるものが好ましい。
【発明の効果】
【００１４】
本願発明の照明装置においては、発報手段としての光（光の点滅含む）や音（周波数含む）、その組合せなどの1回あたりの警報出力の質を可変させることにより照明器具単体の簡易な構成にも関らず、不審者に対して心理的な圧力を与え、防犯効果を高めることができる。
【発明を実施するための最良の形態】
【００１５】
図１は第１の実施形態である照明装置１を示している。この実施形態の照明装置１は、図１に示すように、人を検知する人センサ部２と、周囲の照度を検出する明るさセンサ部３と、さまざまな時間の計時を行なうタイマ部４と、器具全体の制御を行なう点灯制御手段５と、光を出力する照明負荷部６と、警報出力手段８と、を備えている。この場合の点灯制御手段５は、人センサ部２と、明るさセンサ部３と、タイマ部４と、であり、また、警報出力手段８は、光を出力するための照明負荷部６である。
【００１６】
人が照明装置１に近づいてきて人センサ部２が人を検知すると人検知信号を発生する。警報出力手段８に前記人検知信号が入力されると照明負荷部６の光が点灯する。その光を徐々に明るくするものである。
【００１７】
従って、このように構成された照明装置１は、不審者に対して心理的な圧力を与え大きな威嚇効果が生まれるものである。
【００１８】
図２は、第２の実施形態である照明装置１の動作を示している。この実施形態は、前述した第１の実施形態とは、照明負荷部６の発報方式を変更したものであり、構成要素は第１の実施形態と同様であるので説明は省略する。
【００１９】
次に、照明装置１が発報動作する場合の動作説明を図２に基づいて説明する。この図は、横軸に時間、照明負荷部６の点灯の明るさを表している。人が照明装置１に近づいてきて人センサ部２が人を検知すると人検知信号を発生する。警報出力手段８に前記人検知信号が入力されると照明負荷部６の光が点滅する。その光を徐々に明るくするものである。
【００２０】
従って、このように構成された照明装置１は、不審者に対して心理的な圧力を与え大きな威嚇効果が生まれるものである。
【００２１】
なお、この場合の点滅とは、例えば、フラッシュ状態に点滅することである。
【００２２】
図３は、第３の実施形態である照明装置１の動作を示している。この実施形態は、前述した第１の実施形態とは、照明負荷部６の発報方式を変更したものであり、それら以外の構成要素は第１の実施形態と同様であるので説明は省略する。
【００２３】
次に、照明装置１が発報動作する場合の動作説明を図３に基づいて説明する。この図は、横軸に時間、照明負荷部６の点灯の明るさを表している。人が照明装置１に近づいてきて人センサ部２が人を検知すると人検知信号を発生する。警報出力手段８に前記人検知信号が入力されると照明負荷部６の光が点滅する。その光の点滅間隔を図３に示すように、徐々に短くしてゆくものである。
【００２４】
従って、このように構成された照明装置１は、不審者に対して心理的な圧力を与え大きな威嚇効果が生まれるものである。
【００２５】
図４は、第４の実施形態である照明装置１の動作を示している。この実施形態は、前述した第１の実施形態とは、照明負荷部６の発報方式を変更したものであり、構成要素は第１の実施形態と同様であるので説明は省略する。
【００２６】
次に、照明装置１が発報動作する場合の動作説明を図４に基づいて説明する。この図は、横軸に時間、照明負荷部６の点灯の明るさを表している。人が照明装置１に近づいてきて人センサ部２が人を検知すると人検知信号を発生する。警報出力手段８に前記人検知信号が入力されると照明負荷部６の光が点滅する。その光の点滅間隔を図４に示すように、徐々に短くすると共にその明るさを徐々に明るくするものである。
【００２７】
従って、このように構成された照明装置１は、不審者に対して心理的な圧力を与え大きな威嚇効果が生まれるものである。
【００２８】
なお、照明負荷部６の光の点滅の光色を徐々に変化させとも良い。例えば、白色光から徐々に赤色光に変えれば、より一層、不審者に対して心理的な圧力を与え大きな威嚇効果が生まれる。
【００２９】
なお、明るさセンサ部３が検出した照度により、発報継続時間を変えても良い。例えば、明るさセンサ部３により検知された周囲照度が予め設定した照度以上の場合と、予め設定した照度以下の場合と、で警報出力手段８の発報時間を変化させたものである。
【００３０】
すなわち、明るさセンサ部３により検知された周囲照度が予め設定した照度以上の場合は光の点滅の視認性が悪くなるので、発報継続時間を長く設定することにより防犯効果を高め、夜間などの明るさセンサ部３により検知された周囲照度が予め設定した照度以下の場合は、発報継続時間を短く設定し誤報時の周囲の迷惑を軽減するものである。
【００３１】
図５は、第５の実施形態である照明装置１を示している。この実施形態は、前述した第１の実施形態とは、照明負荷部６の発報方式を変更したものであり、構成要素は第１の実施形態と同様であるので説明は省略する。
【００３２】
次に、照明装置１が発報動作する場合の動作説明を図５に基づいて説明する。この図は、横軸に時間、照明負荷部６の点灯の明るさを表している。人が照明装置１に近づいてきて人センサ部２が人を検知すると人検知信号を発生する。
【００３３】
最初に、明るさセンサ部３により検知された周囲照度が予め設定した照度以上の場合、警報出力手段８に前記人検知信号が入力されると照明負荷部６の光が点滅する。この時の光の明るさを１００％とする。
【００３４】
次に、明るさセンサ部３により検知された周囲照度が予め設定した照度以下の場合、警報出力手段８に前記人検知信号が入力されると照明負荷部６の光が点滅する。この時の光の明るさは、明るさセンサ部３により検知された周囲照度が予め設定した照度以上の場合の点滅時の５０％の明るさにするものである。
【００３５】
従って、このように構成された照明装置１は、明るさセンサ部３により検知された周囲照度が予め設定した照度以上の場合は、照明負荷部６の光の点滅が目立ちにくいため、光量を多くして昼間の防犯効果をたぁめるものである。また、明るさセンサ部３により検知された周囲照度が予め設定した照度以下の場合、人は、照明負荷部６の光の点滅が感じやすいので光量を少なくして防犯効果を与えながら、省エネルギー効果を得ることができるものである。
【００３６】
図６は、第６の実施形態である照明装置１を示している。この実施形態は、前述した第１の実施形態とは、警報出力手段８に発報ブザー部７を付加したものであり、これ以外の構成要素は第１の実施形態と同様であるので説明は省略する。
【００３７】
人が照明装置１に近づいてきて人センサ部２が人を検知すると人検知信号を発生する。警報出力手段８に前記人検知信号が入力されると発報ブザー部７が音を発報する。そして、この音量を徐々に大きくするものである。
【００３８】
従って、このように構成された照明装置１は、不審者に対して心理的な圧力を与え大きな威嚇効果が生まれるものである。
【００３９】
なお、警報出力手段８に人検知信号が入力され、発報ブザー部７から発報する音を断続的にする。そして、その断続間隔を徐々に短くすれば不審者に対して心理的な圧力を与え大きな威嚇効果が生まれる。
【００４０】
また、警報出力手段８に人検知信号が入力され、発報ブザー部７から発報する音の周波数を徐々に高くすれば、より一層、不審者に対して心理的な圧力を与え大きな威嚇効果が生まれる。
【図面の簡単な説明】
【００４１】
【図１】本願発明の第１の実施形態である照明装置を示すブロック図である。
【図２】本願発明の第２の実施形態である照明装置の説明図である。
【図３】本願発明の第３の実施形態である照明装置の説明図である。
【図４】本願発明の第４の実施形態である照明装置の説明図である。
【図５】本願発明の第５の実施形態である照明装置の説明図である。
【図６】本願発明の第６の実施形態である照明装置を示すブロック図である。
【図７】特開２００３−２０８９９０号公報に記載された従来例を示すブロック図である。
【符号の説明】
【００４２】
１    照明装置
２    人センサ部
３    明るさセンサ部
４    タイマ部
５    点灯制御手段
６    照明負荷部
７    発報ブザー部
８    警報出力手段
【図１】
2005275862.tif 000003
【図２】
2005275862.tif 000004
【図３】
2005275862.tif 000005
【図４】
2005275862.tif 000006
【図５】
2005275862.tif 000007
【図６】
2005275862.tif 000008
【図７】
2005275862.tif 000009